(57)【要約】【課題】方形状に成形された支持枠の傾斜度合を、該支持枠に支持させる被支持物を介すことなく、測定器によって直接的に確認可能とする測定用治具を提供することを課題とする。【解決手段】固定された支持枠４における横方向に長い上下一対の横枠４１，４２間に掛け渡されるか、或いは該支持枠４における縦方向に長い左右一対の縦枠４３，４４間に架け渡されるか、或いはその両方に架け渡される治具本体６１と、該治具本体６１を支持枠４に着脱可能に固定する固定機構６２とを備え、前記治具本体６１には、測定器５，５´によって傾斜度合が確認される対象部６ａ，６ｂが形成される。【選択図】図３
2017225740.tif 000002
【特許請求の範囲】
【請求項１】
方形状の支持枠の傾斜度合を測定器によって確認する際に用いられる測定用治具であって、
固定された支持枠における横方向に長い上下一対の横枠間に掛け渡されるか、或いは該支持枠における縦方向に長い左右一対の縦枠間に架け渡されるか、或いはその両方に架け渡される治具本体と、
該治具本体を支持枠に着脱可能に固定する固定機構とを備え、
前記治具本体には、測定器によって傾斜度合が確認される対象部が形成された
ことを特徴とする測定用治具。
【請求項２】
前記治具本体は、上記横枠間に掛け渡される縦長部と、上記縦枠間に架け渡される横長部とを一体的に有し、
前記固定機構は、上記横長部及び縦長部によって前記支持枠を前後で挟持するように構成された
請求項１に記載の測定用治具。
【請求項３】
前記固定機構は、上記支持枠を前後で弾力的に挟持する構造を有する
請求項２に記載の測定用治具。
【請求項４】
前記治具本体は、上記横長部及び縦長部の少なくとも一方を伸縮させる伸縮機構を有する
請求項２又は３の何れかに記載の測定用治具。
【請求項５】
前記治具本体は、上記横長部及び縦長部の一方に前記伸縮機構及び上記支持枠の後面と接当する接当部を有するとともに、他方に該支持枠の前面と接当する接当部を設けた
請求項４に記載の測定用治具。
【請求項６】
前記治具本体の背面側には上記伸縮機構が配置される一方で、正面側には、該伸縮機構の作動を操作する操作具が設けられた
請求項４又は５の何れかに記載の測定用治具。
【請求項７】
前記対象部は、上記治具本体の正面側に形成されたフラットな面である
請求項１乃至６の何れかに記載の測定用治具。
【請求項８】
前記対象部は、測定器が取付固定される被取付部である
請求項１乃至７の何れかに記載の測定用治具。
【発明の詳細な説明】
【技術分野】
【０００１】
この発明は、方形状の支持枠の傾斜度合を測定器によって確認する際に用いられる測定用治具に関する。
【背景技術】
【０００２】
方形状の支持枠を固定するにあたり、この支持枠の固定姿勢（傾斜度合）を厳密に定める必要がある場合がある。例えば遊技機の一種であるパチンコ機の支持枠がこれに該当する。パチンコ機は、島設備に形成された方形状の島枠内に固定される方形状の支持枠と、該支持枠の左右一方の縦枠にヒンジを介して開閉回動可能に支持されたパチンコ機本体とから構成される。パチンコ機本体の傾斜角度が変わると、その内部でのパチンコ球（景品球）の流れが変わり、入賞状態に大きな影響を与えるため、この傾斜度合は正確に定める必要がある。
【０００３】
具体的には、支持枠に支持されて閉じ位置に回動された状態のパチンコ機本体（被支持物）の正面に設置されたガラス面に測定器を押し当て、その傾斜度合を確認し、傾斜調整を行いながら、支持枠を島枠内に固定するが、支持枠の正面は閉状態のパチンコ機本体によって覆われ、そのままでは支持枠の島枠に対する傾斜調整を行うことができないため、この調整毎にパチンコ機本体を支持枠に対して開方向に回動して支持枠を露出させる必要がある。
【０００４】
この傾斜調整の手間を軽減させる目的で、支持枠の傾斜を調整するように該支持枠に設けられた治具が公知になっている（例えば、特許文献１を参照。）。
【先行技術文献】
【特許文献】
【０００５】
【特許文献１】特開２００８−１７８６０７号公報
【発明の概要】
【発明が解決しようとする課題】
【０００６】
上記文献の治具（同文献では、「幕板２３」）を用いることにより、支持枠を所定の傾斜状態で初めから固定することがある程度可能になるが、このような治具を用いても、遊技場毎の島枠のサイズの微妙な違いや、島枠と支持枠との間に形成された隙間等に起因して、固定された支持枠の傾斜調整が必要になる場合があり、この場合には、治具を用いない場合と同様に支持枠を露出させる手間が結局必要になる。
【０００７】
一方、支持枠に支持させた遊戯機本体を介することなく、支持枠の傾斜状態を計測器によって直接的に確認できれば、上記手間は軽減される。これを実現させるため、測定器による支持枠の直接的な計測を可能とさせる治具（測定用治具）を用いることが有効な手段の１つとして考えられる。
【０００８】
本発明は、方形状に成形された支持枠の傾斜度合を、該支持枠に支持させる被支持物を介すことなく、測定器によって直接的に確認可能とする測定用治具を提供することを課題とする。
【課題を解決するための手段】
【０００９】
上記課題を解決するため、方形状の支持枠の傾斜度合を測定器によって確認する際に用いられる測定用治具であって、固定された支持枠における横方向に長い上下一対の横枠間に掛け渡されるか、或いは該支持枠における縦方向に長い左右一対の縦枠間に架け渡されるか、或いはその両方に架け渡される治具本体と、該治具本体を支持枠に着脱可能に固定する固定機構とを備え、前記治具本体には、測定器によって傾斜度合が確認される対象部が形成されたことを特徴としている。
【００１０】
前記治具本体は、上記横枠間に掛け渡される縦長部と、上記縦枠間に架け渡される横長部とを一体的に有し、前記固定機構は、上記横長部及び縦長部によって前記支持枠を前後で挟持するように構成されたものとしてもよい。
【００１１】
前記固定機構は、上記支持枠を前後で弾力的に挟持する構造を有するものとしてもよい。
【００１２】
前記治具本体は、上記横長部及び縦長部の少なくとも一方を伸縮させる伸縮機構を有するものとしてもよい。
【００１３】
前記治具本体は、上記横長部及び縦長部の一方に前記伸縮機構及び上記支持枠の後面と接当する接当部を有するとともに、他方に該支持枠の前面と接当する接当部を設けたものとしてもよい。
【００１４】
前記治具本体の背面側には上記伸縮機構が配置される一方で、正面側には、該伸縮機構の作動を操作する操作具が設けられたものとしてもよい。
【００１５】
前記対象部は、上記治具本体の正面側に形成されたフラットな面であるものとしてもよい。
【００１６】
前記対象部は、測定器が取付固定される被取付部であるものとしてもよい。
【発明の効果】
【００１７】
方形状の支持枠に装着固定させた測定用治具の対象部の傾斜度合を測定器によって測定すれば、支持枠に支持させる被支持物を介して測定を行う必要がなくなり、支持枠の傾斜度合を測定器によって直接的に確認することが可能になる。
【図面の簡単な説明】
【００１８】
【図１】遊技機の支持枠及び島枠の分解斜視図である。
【図２】遊技機の支持枠及び島枠の分解側断面図ある。
【図３】（Ａ）は測定用治具を支持枠に装着させる前の状態を示す斜視図であり、（Ｂ）は測定用治具を支持枠に装着させる途中の状態を示す斜視図であり、（Ｃ）は測定用治具を支持枠に装着させた状態を示す斜視図である。
【図４】本発明を適用した測定用治具の斜視図である。
【図５】本発明を適用した測定用治具の分解斜視図である。
【図６】上部接当部材の支持構造を示す側断面図である。
【図７】伸縮機構によって縮小状態となった測定用治具の背面図である。
【図８】伸縮機構によって伸長状態となった測定用治具の背面図である。
【発明を実施するための形態】
【００１９】
図１，図２は遊技機の支持枠及び島枠の分解斜視図及び分解側断面図である。遊戯場に設置された島設備に形成された複数の各島枠１内に、スロット機やパチンコ機等の遊技機が嵌込み支持されて固定される。この遊戯機は、上下の係止具２，３によって島枠１内に係止される支持枠４と、該支持枠４にヒンジ（図示しない）を介して水平回動可能に支持される図示しない遊戯機本体（パチンコ機本体，被支持部）とを備えている。
【００２０】
上記島枠１は、左右方向に延びる上下一対の枠１１，１２と、該上下の枠１１，１２間に配置されて上下方向に延びる左右一対の枠１３，１３によって、正面視で、方形状に成形されている。上側の枠１１は側断面視で上方及び後方に突出したＬ字状に成形された上枠であり、下側の枠１２は側断面視で方形状に成形された下枠であり、左右の各枠１３は前後方向に厚みを有する板状に成形されたサイド枠である。
【００２１】
上記支持枠４は、左右方向（横方向）に延びる上下一対の横枠４１，４２と、上下方向（縦方向）に延びる左右一対の縦枠４３，４４とによって、正面視で方形状に成形されている。上側の横枠４１は、上下方向に厚みを有する板状の上枠である。下側の横枠４２は、側断面視で上方及び後方に延びるＬ字状に成形された下枠である。左右の縦枠４３，４４は左右方向に厚みを有する板状に成形された右枠及び左枠である。左枠４３は上下の横枠４１，４２の左側端部間に配置固定され、右枠４４は上下の横枠４１，４２の右側端部間に配置固定されている。
【００２２】
この支持枠４の上枠４１が取付ブラケット４６及び左右一対の係止具（上部係止具）２，２によって島枠１の上枠１１に係止されるとともに、該支持枠４の下枠４２が左右一対の係止具（下部固定具）３，３によって島枠１の下枠１２に係止され、この上下の係止によって該支持枠４が島枠１の方形枠内に着脱可能に嵌込み固定される。
【００２３】
さらに詳しく説明すると、取付ブラケット４６は上枠４１の上面側に固定され、上部係止部２は、上枠１１の上面側に固定された固定部２１と、該固定部２１に前後位置調整可能に支持され且つ該上枠１１の後方且つ下方まで延出された可動部２２と、該可動部２２の延出端部に設けられた係止具２３とを有し、取付ブラケット４６の後方に突出した先端部に一体形成されて設けられた被係止部４６ａが前記係止具２３に係止される。
【００２４】
そして、前記支持枠４の上枠４１を上部係止具２によって島枠１の上枠１１に係止させるとともに、該支持枠４の下枠４２を下部係止具３によって島枠１の下枠１２に係止させた状態で、上部固定具２における可動部２２を固定部２１に対して前後スライドさせることにより、支持枠２の傾斜調整を行う。
【００２５】
このようにして島枠１内に固定された支持枠４の左右の枠４３，４４の一方（具体的には、左枠４３）に、ヒンジを介して、遊技機本体を水平回動可能に支持される。
【００２６】
ところで、上記傾斜調整の際には、その都度、測定器５（図３参照）によって遊技機の傾斜度合（傾斜角度）を確認する必要があるが、この確認を、遊技機本体を介することなく、支持枠４に対して直接行うことができれば、前記傾斜構成の手間が大幅に低減される。このような直接的な傾斜角度の確認を実現させるため、支持枠４に着脱可能に装着される測定用治具６（図３参照）を用いる。
【００２７】
図３（Ａ）は測定用治具を支持枠に装着させる前の状態を示す斜視図であり、（Ｂ）は測定用治具を支持枠に装着させる途中の状態を示す斜視図であり、（Ｃ）は測定用治具を支持枠に装着させた状態を示す斜視図である。支持枠４の正面側に測定用治具６を位置させ（同図（Ａ）参照）、該支持枠４の方形枠内に嵌め込み挿入させて支持枠４の前面側に接当させ（同図（Ｂ）参照）、この状態から測定用治具６の一部を伸長させ、この伸長させた部分を支持枠４の後面側に接当させ、支持枠４を測定用治具６によって前後で弾力的に挟持することにより、該支持枠４に測定用治具６を装着固定させる（同図（Ｃ）参照）。
【００２８】
このようにして支持枠４に装着された測定用治具６の正面側に形成されたフラットな対象面（対象部）６ａに上記測定器（具体的にはデジタル測定器又はアナログ測定器）５を押し当て、この対象面６ａの傾斜度合を確認（傾斜角度を測定）する。
【００２９】
次に、図４乃至図６に基づいて、測定用治具６の構成を説明する。
【００３０】
図４及び図５は、本発明を適用した測定用治具の斜視図及び分解斜視図である。これらの図面に示された測定用治具６は、固定された支持枠４の上下一対の横枠４１，４２間に掛け渡されるか、或いは該支持枠４の左右一対の縦枠４３，４４間に架け渡されるか、或いはその両方に架け渡される（図示する例では、横枠４１，４２間及び縦枠４３，４４間に架け渡される）治具本体６１と、該治具本体６１を支持枠４に着脱可能に固定する固定機構６２とを備えている。
【００３１】
治具本体６１は、正面視で十字状に成形され且つ前後方向に厚みを有するメインフレーム６１１と、メインフレーム６１１の上端部から一体的に前方突出する上部支持部（支持部）６１２と、メインフレーム６１１の下端部から一体的に前方突出する下部支持部（支持部）６１３と、上部支持部６１２の前端部に前後可動可能に支持された上側接当部材（接当部材）６１４と、下部支持部６１３の前端部に前後可動可動に支持された下側接当部材（接当部材）６１６と、メインフレーム６１１の左右方向に長い部分における左右両側にそれぞれ左右スライド可能に支持された左右一対のサイド接当部材（接当部材）６１７，６１７とを備えている。
【００３２】
上部支持部６１２及び下部支持部６１３は、左右方向に長く上下に厚みを有する厚板状に成形されている。
【００３３】
上側接当部材６１４は、上部支持部材６１２と同一又は略同一の正断面形状を有する本体部６１４１と、この本体部６１４１の上面の左右両端部から上方に一体で突出形成されたフック状の接当部６１４２，６１４２とを有している。下側接当部材６１６は、下部支持部材６１３と同一又は略同一の正断面形状を有する本体部６１６１と、この本体部６１６１の下面の左右両端部から下方に一体で突出形成された板状の接当部６１６２，６１６２とを有している。
【００３４】
上下の接当部材６１４，６１６に支持部６１２，６１３への支持構造は略同一であるため、上側の接当部材６１４を例にその構造を説明する。
【００３５】
図６は、上部接当部材の支持構造を示す側断面図である。同図に示す通り、接当部材６１４は、自身の本体部６１４１が正面視で支持部６１２と完全にラップさせた状態で、該支持部６１２の左右両側にそれぞれ穿設された前後方向の挿通孔６１２ａ，６１２ａに個別に挿通される左右一対の支持ピン６２１，６２１と、各支持ピン６２１に外装される圧縮スプリング（弾性部材）６２２とによって、前後方向に可動自在に取付支持される。
【００３６】
さらに詳しく説明すると、挿通孔６１２ａに軸方向に移動可能な状態で挿通された支持ピン６１２の挿入端部（先端部）は、接当部材６１４の本体部６１４１に穿設された前後方向の固定孔６１４１ａに挿入して固定される一方で、該支持ピン６１２の基端部には、径大の頭部６２１ａが一体成形され、この頭部６２１ａは、先端部が固定孔６１４ａ内に固定された状態で抜け止として機能し、これによって接当部材６１４が支持部６１２に前後可動可能に支持される。
【００３７】
そして、前記圧縮スプリング６２２は、支持ピン６２１の外周面と、挿通孔６１２ａの内周面との間に位置した状態で、この接当部材６１４を、所定の前後移動範囲において、支持部６１２に近づく側に弾性付勢する。ちなみに、上記挿通孔６１２ａにおける前記圧縮スプリング６２２を収容させる部分（後側半部）は、その他の部分（前側半部）に比べて径大に成形され、上述の頭部６２１ａの収容可能である一方で、この挿通孔６１２における前記その他の部分（前側半部）は該頭部６２１ａの外径よりも小さい小径に成形され、上述の抜け止がなされている。
【００３８】
下側の接当部材６１６の支持構造も以上の構成と同一又は略同一となり、支持部６１３には左右一対の前後方向の挿通孔６１３ａ，６１３ａが穿設され、接当部材６１６の本体部６１６１の左右両側にも前後の固定孔６１６１ａ，６１６１ａがそれぞれ穿設され、これらの孔６１３ａ，６１６１ａに挿入される支持ピン６２３と、該支持ピン６２３に外装される圧縮スプリング６２４とによって、接当部材６１６が所定の前後範囲内において支持部６１３に近づく側に弾性付勢された状態で、該支持部６１３に支持される。ちなみに、この支持ピン６２３の基端部にも、上述の支持ピン６２１と同様に、径大の頭部６２３ａが一体成形されている。
【００３９】
左右のサイド接当部材６１７，６１７は、図４及び図５に示すように、互いが左右対称な形状に成形されている。各サイド接当部材６１７は、左右方向のスライド部６１７１と、該スライド部６１７１の左右外側端部に一体的に成形され且つ上下方向に長い方形板状の接当部６１７２とを有している。
【００４０】
各サイド接当部材６１７，６１７のスライド部６１７１は、メインフレーム６１１の横長部分の背面に一体的に凸設された上下一対の支持レール６１１１，６１１１の間に左右スライド可能に嵌込まれて係合支持されている。
【００４１】
接当部６１７２は、メインフレーム６１１よりも前方に位置した状態で、スライド部６１７１と共に一体で左右スライドされるが、この接当部６１７２を正面視でメインフレーム６１１の横長部分とラップする位置まで左右内側にスライドさせることが可能なように、該横長部分の左右両端の端部には挿通支持部６１１ａ，６１１ａが、左右内側に切欠かれるようにして凹設されている。この各挿通支持部６１１ａには、接当部６１７２とスライド部６１７１との連接部分が前後に挿通されて支持される。
【００４２】
以上のような構造によれば、この左右のサイド接当部材６１７，６１７及びメインフレーム６１１の横長部分によって、治具本体６の横長部を構成し、この横長部は、左右のサイド接当部材６１７，６１７を互いに近づく側（左右内側）にそれぞれスライドさせることにより縮小作動するとともに、左右のサイド接当部材６１７，６１７を互いに遠ざかる側（左右外側）にそれぞれスライドさせることにより伸長作動する。
【００４３】
言換えると、左右のスライド部６１７１，６１７１と、上下一対の支持レール６１１１，６１１１とによって、治具本体６１（メインフレーム６１１）の背面側には横長部を伸縮させる伸縮機構６１ａが構成される（図７，８参照）。そして、この治具本体６の横長部は、伸縮機構６１ａの伸長時には支持枠４における左右の縦枠４３，４４間に架渡し可能なようにその長さが縦枠４３，４４間よりも長く設定され、縮小時には支持枠４における左右の縦枠４３，４４間の距離よりも短くなる。
【００４４】
また、上下の支持部６１２，６１３及び接当部材６１４，６１６によって、治具本体６の縦長部を構成している。この縦長部は、支持枠４における上下の横枠４１，４２の間に架渡される。
【００４５】
この横長部と縦長部とは、治具本体６に一体的に成形されている。
【００４６】
そして、この縦長部の上側に位置する左右一対のフック状の接当部６１４２，６１４２は、支持枠４の上枠４１の上面にそれぞれ引掛けられて係止され且つ支持枠４の前面（上枠４１の前端面）に接当し、該縦長部の下側に位置する左右一対の接当部６１６２，６１６２は、支持枠４の前面（下枠４２の前端面）に接当している。
【００４７】
また、横長部の左右の接当部６１７２，６１７２は、伸縮機構６１ａを縮小作動させた状態で、支持枠４の前方位置から方形枠内を通して後方位置に移動させた後、該伸縮機構６１ａを伸長作動させ、左右の縦枠４３，４４の後端面（支持枠４の後面）にそれぞれ接当させる。
【００４８】
上記固定機構６２は、上下左右の接当部材６１４，６１６，６１７と、支持部６１２，６１３と、支持ピン６２１，６３１と、圧縮スプリング６２２，６２４とによって構成され、前側の上下左右の接当部６１４２，６１４２，６１６２，６１６２と、後側の接当部６１７２，６１７２とが、圧縮スプリング６２２，６２４の弾性力によって、支持枠４を、前後で弾力的に挟持し、これによって、測定治具６が支持枠４に着脱自在に挟持して固定される。
【００４９】
そして、測定用治具６を支持枠４に装着固定した状態で、治具本体６１（メインフレーム６１１）の正面側に成形されたフラットな面である上述の対象面６ａに、測定器５を押し当てれば、支持枠４（遊戯機）の正確な傾斜角度（傾斜度合）を該支持枠４から直接知ることができるため、傾斜調整時の手間が大幅に軽減される。ちなみに、この対象面６ａの範囲や傾斜状況は、正確な測定が可能なように接当部６１４２，６１６２，６１７２との関係で、予め厳密に定められている。
【００５０】
一方、圧縮スプリング６２２，６２４の弾性的な付勢力に抗し、測定用治具６を後方に押込み、伸長状態の横長部における左右の接当部６１７２，６１７２の支持枠４との接当を解除させ、該横長部を伸縮機構６１ａによって縮小作動させることにより、上記挟持固定が解除される。
【００５１】
ところで、この測定用治具６の支持枠４への装着作業では、伸縮機構６１ａを伸縮作動させる必要があり、この伸縮機構６１ａを伸縮させる伸縮操作を行う操作具６１８を治具本体６１（メインフレーム６１１）の正面側に回動可能に設けられている。
【００５２】
具体的には、この操作具６１８が治具本体６１の背面側に設置された連係機構６１９を介して左右のサイド接当部材６１７，６１７に連係され、この操作具６１８の回動操作（伸縮操作）によって、この左右のサイド接当部材６１７，６１７が左右対称な状態を保持して互いに離間・近接作動（伸縮作動）する。
【００５３】
次に、図５、図７及び図８に基づいて、操作具６１８及び連係機構６１９の構成を詳述する。
【００５４】
図７は伸縮機構によって縮小状態となった測定用治具の背面図であり、図８は伸縮機構によって伸長状態となった測定用治具の背面図である。操作具６１８は、グリップ部６１８ａと、該グリップ部６１８ａの後端面の中心部から後方に突出した操作軸６１８ｂとを一体的に有している。操作軸６１８ｂは、自身の軸回りに回動可能な状態でメインフレーム６１１の中央側部分に穿設された支持孔６１１ｂに挿通支持されている。操作具６１８は、グリップ部６１８ａを把持して、操作軸６１８ｂの軸回りに回動操作するように構成されている。
【００５５】
連係機構６１９は、操作軸６１８ｂの後端部に一体回転可能に固定された操作アーム６１９１と、メインフレーム６１１の背面における中央部分に凸設された左右一対の係合レール６１１２，６１１２の間に、上下スライド可能に係合支持されたスライダー６１９２と、前記操作アーム６１９１の上記操作軸６１８ｂを支点とした上下回動によって前記スライダー６１９２が上下スライドするように両者を連結する操作リンク６１９３と、前記スライダー６１９２の上下スライドが左右のスライド部６１７１，６１７１の左右対称作動（離間・近接作動）に変換されるように、該スライダー６１９２と、左右のスライド部６１７１，６１７１とをそれぞれ連結する左右一対の作動リンク６１９４，６１９４とを有している。
【００５６】
左右の作動リンク６１９４，６１９４のスライダー６１９２との連結支点は背面視で同一位置に配置され、該連結支点と、左右の作動リンク６１９４，６１９４のスライド部６１７１，６１７１へのそれぞれの連結支点とがあるが、この３つの支点を直線で結ぶと背面視で二等辺三角形となるため、左右のスライド部６１７１，６１７１は左右対称の位置を保持して離間・近接作動される。
【００５７】
そして、グリップ部６１８ａが正面視で鉛直方向を向く位置に操作具６１８を回動操作することにより、伸縮作動６ａを縮小作動させるる一方で（図７参照）、グリップ部６１８ａが正面視で水平方向を向く位置に操作具６１８を回動操作することにより、伸縮作動６ａを伸長作動させる（図８参照）。
【００５８】
以上のように構成される測定用治具６によれば、方形状自体の傾斜を、対象面６ａを利用して直接測定し、所望の傾斜状態と異なっていれば、上下の係止具２，３によって、傾斜状態を変更することが可能であり、角度調整をスムーズ且つ迅速に行うことが可能になる。
【００５９】
なお、図４に仮想線で示すように、上下の支持部６１２，６１３の側端面を、同一平面上に位置するフラットな被取付面（被取付部）６ｂ，６ｂとし、この上下の被取付面６ｂ，６ｂに、水平器等の傾斜度合を確認が可能な測定器５´を予め架渡し状態で固定（装着）させれば、傾斜状態の確認がさらに容易になり、より迅速に傾斜調整を行うことが可能になる。
【００６０】
また、本例では、伸縮機構６ａと支持枠４の後面側に接当する接当部６１７２とを横長部に設けるとともに、支持枠４の前面側に接当する接当部６１４２，６１６２を縦長部に設ける例につき説明したが、これを逆にして、伸縮機構６ａと支持枠４の後面側に接当する接当部とを縦長部に設けるとともに、支持枠４の前面側に接当する接当部を横長部に設けてもよい。
【符号の説明】
【００６１】
４  支持枠
４１  横枠（上枠）
４２  横枠（下枠）
４３  縦枠（左枠）
４４  縦枠（右枠）
５  測定器（デジタル測定器又はアナログ測定器）
５´  測定器（水平器）
６  測定用治具（治具）
６ａ  対象面（対象部）
６ｂ  被取付面（対象部，被取付部）
６１  治具本体
６１ａ  伸縮機構
６１４２  接当部
６１６２  接当部
６１７２  接当部
６１８  操作具
６２  固定機構
【図１】
2017225740.tif 000003
【図２】
2017225740.tif 000004
【図３】
2017225740.tif 000005
【図４】
2017225740.tif 000006
【図５】
2017225740.tif 000007
【図６】
2017225740.tif 000008
【図７】
2017225740.tif 000009
【図８】
2017225740.tif 000010